(57)【要約】【課題】入退室管理システムの入退室端末等に使用される、カードの読取りによるカード入力とキー操作によるキー入力の双方が行えるカードリーダ付キー入力装置において、カード入力操作時等にキーに誤って接触してしまった場合の誤操作による動作を防止したものを提供する。【解決手段】キー入力部１１からのキー入力とカードリーダ部１２からのカード入力に従って制御対象に制御指令信号ＣＣＳを出力する入力制御処理手段１４を備えたカードリーダ付キー入力装置であって、前記入力制御処理手段１４が、所定時間内に前記キー入力部の同一キーから所定の複数回、キー入力が連続してあった時に該キー入力を有効にする。【選択図】図１
2008046898.tif 000002
【特許請求の範囲】
【請求項１】
キー入力部からのキー入力とカードリーダ部からのカード入力に従って制御対象に制御指令信号を出力する入力制御処理手段を備えたカードリーダ付キー入力装置であって、前記入力制御処理手段が、所定時間内に前記キー入力部の同一キーから所定の複数回、キー入力が連続してあった時に該キー入力を有効にすることを特徴とするカードリーダ付キー入力装置。
【請求項２】
前記入力制御処理手段が、所定時間内に前記キー入力部の同一キーから２回のキー入力が連続してあった時に該キー入力を有効にすることを特徴とする請求項１に記載のカードリーダ付キー入力装置。
【請求項３】
キー入力部からのキー入力とカードリーダ部からのカード入力に従って制御対象に制御指令信号を出力する入力制御処理手段を備えたカードリーダ付キー入力装置であって、前記入力制御処理手段が、前記キー入力部からの所定時間以上継続するキー入力を有効にすることを特徴とするカードリーダ付キー入力装置。
【請求項４】
キー入力部からのキー入力とカードリーダ部からのカード入力に従って制御対象に制御指令信号を出力する入力制御処理手段を備えたカードリーダ付キー入力装置であって、前記入力制御処理手段が、前記キー入力部の予め定められた所定キーからの所定キー入力後の所定時間内のキー入力を有効にすることを特徴とするカードリーダ付キー入力装置。
【請求項５】
キー入力部からのキー入力とカードリーダ部からのカード入力に従って制御対象に制御指令信号を出力する入力制御処理手段を備えたカードリーダ付キー入力装置であって、前記入力制御処理手段が、前記カードリーダ部からのカード入力時の前後の所定時間の間、前記キー入力部からのキー入力を無効にすることを特徴とするカードリーダ付キー入力装置。
【請求項６】
表示部をさらに備え、入力制御処理手段が、前記表示部にキー入力部からのキー入力があった時に予め定められたキー入力部の入力操作を表示させることを特徴とする請求項１から３までのいずれか１項に記載のカードリーダ付キー入力装置。
【請求項７】
キー入力部がテンキーと特定機能キーを含み、入力制御処理手段が、前記特定機能キーによる特定機能キー入力に対して有効又は無効の制御を行うことを特徴とする請求項１から６までのいずれか１項に記載のカードリーダ付キー入力装置。
【発明の詳細な説明】
【技術分野】
【０００１】
この発明は、カードリーダ付キー入力装置、特に例えばカードによる入力時にカードが入力キー等に接触して誤操作になってしまうことを防止したものに関する。
【背景技術】
【０００２】
従来、キー入力装置として、例えば送信フォーマットの設定、変更用キー等の特定機能キーを備えたＡＶ機器用の遠隔操作装置(テレビのリモコン)において、特定機能キーの誤操作防止のためにロックモードとロック解除のフリーモードとに択一的に切り換え設定するロック／フリーキーを備え、フリーモード時のみ、送信フォーマット変更用キーの操作による入力を有効化して、つぎに操作されたテンキーの入力に対応した送信フォーマットに設定するようにしたものがある(例えば特許文献１参照)。
【０００３】
【特許文献１】特許第３３３７０６３号
【発明の開示】
【発明が解決しようとする課題】
【０００４】
このように、キー入力装置においては、誤操作による動作の防止対策が必要であり、特に機能が実行されてしまうとそれを解除したり元のモードに戻すのに手間がかかる特定の機能キーに関しては重要である。
【０００５】
この発明は、例えば入退室管理システムの入退室端末等に使用される、カードの読取りによるカード入力とキー操作によるキー入力の双方が行えるカードリーダ付キー入力装置において、カード入力操作時等にキーに誤って接触してしまった場合の誤操作による動作を防止したものを提供することを目的とする。
【課題を解決するための手段】
【０００６】
この発明は、キー入力部からのキー入力とカードリーダ部からのカード入力に従って制御対象に制御指令信号を出力する入力制御処理手段を備えたカードリーダ付キー入力装置であって、前記入力制御処理手段が、所定時間内に前記キー入力部の同一キーから所定の複数回、キー入力が連続してあった時に該キー入力を有効にすることを特徴とするカードリーダ付キー入力装置にある。
【発明の効果】
【０００７】
この発明では、意図して行われた可能性の高いキー入力だけを有効とすることで、カード入力操作時にキーに誤って接触してしまった場合等の誤操作による動作を防止できる。
【発明を実施するための最良の形態】
【０００８】
この発明によるカードリーダ付キー入力装置は種々の分野のシステムの入力装置に適用可能であるが、以下では入退室管理システムの入力装置に適用した場合を例に挙げて説明する。
実施の形態１．
図１はこの発明によるカードリーダ付キー入力装置を備えた入退室管理システムの構成の一例を示す図である。カードリーダ付キー入力装置(以下入力装置とする)１では入力された入力信号に基づき制御対象である扉制御盤２へ制御指令信号ＣＣＳを送り、扉制御盤２はこの制御指令信号ＣＣＳに従って扉３の開閉制御、施解錠制御を行う。
【０００９】
図２、図３は入力装置１の外観図、内部構成図をそれぞれ示す。図２において、入力装置１の表面パネルには、テンキー１１ａ等と共に特定機能キー１１ｂを含むキー入力部１１、例えば電磁波等により非接触カード４内のデータの読取りを行うカードリーダ部１２、後述する、利用者に入力操作の指示等を行うＬＥＤや液晶表示器からなる表示部１３が設けられている。
【００１０】
また図３において、キー入力部１１、カードリーダ部１２及び表示部１３はコンピュータを含む入力制御処理部(入力制御処理手段)１４に接続されている。入力制御処理部１４では、キー入力部１１及びカードリーダ部１２からの入力信号を処理して、扉制御盤２へ制御指令信号ＣＣＳを送って扉３の開閉制御、施解錠制御を行わせ、また、表示部１３に表示指令信号ＤＣＳを送って表示を行わせる。メモリ１５には、入退室が許可された利用者の個人識別情報が予め格納されている。
【００１１】
例えば図４に示すように、利用者がデータが格納されている非接触カード４を入力装置１のカードリーダ部１２で読込ませて入力を行おうとして(カード入力)、カードリーダ部１２とキー入力部１１が一体となっている入力装置１の表面パネルに非接触カード４をかざした場合に、非接触カード４がキー入力部１１のキーに接触してしまう可能性がある。この場合、キー入力部１１の操作による入力(キー入力)が有効である入力装置１では、キーの一度押しで入力が有効として処理されるため、カード入力をしたつもりが、キー入力とカード入力との両方の入力として処理されてしまう等、入退室に支障が生じる可能性がある。
【００１２】
特に、誤って接触してしまったキーが、入退室管理されている管理領域の監視機能を、監視状態と締め切り状態とに切り換える機能に割り当てられた警備切替用の特定機能キー１１ｂ等であった場合、警備切替処理が行われ締め切り状態になると、扉３が閉じた状態で固定されてしまい、かつ入力装置１からの全ての入力が無効にされた状態になり、利用者が管理領域に閉じ込められてしまうことが起こり得る。
【００１３】
図５はこの発明によるカードリーダ付キー入力装置の動作の一例を示すフローチャートであり、特に図３の入力制御処理部１４の動作を示す。以下図５に従って動作を説明する。この実施の形態では、同一キーの連続２度押しで、キー入力を有効にする。テンキー１１ａ及び特定機能キー１１ｂを含むキー入力部１１の任意のキーからのキー入力があり入力信号(以下単にキー入力)を受けると、これを１回目のキー入力として、該キー入力の確定待ち状態となる(ステップＳ１)。
【００１４】
この間、表示部１３に、この実施の形態であれば”２度押し”の入力操作を利用者に知らせる表示を行わせるために表示指令信号ＤＣＳを送る(ステップＳ２)。表示部１３がＬＥＤからなるものであれば、入力装置１の表面パネルの注意書き部分の該当箇所のＬＥＤを点灯又は点滅させ、液晶表示器であれば入力操作を表示させる。
【００１５】
またこの間にカードリーダ部１２からのカード入力がありカード入力信号(以下カード入力)を受けると、確定待ちのキー入力は無効になり(ステップＳ３)、例えばカード入力が個人識別情報であればメモリ１５内を検索して個人識別情報の照合を行い(ステップＳ１２)、一致すればカード入力に従って入力処理を行い、これに基づく制御指令信号ＣＣＳを扉制御盤２に送る(ステップＳ１３)。
【００１６】
そして第１の所定時間内(ステップＳ４)に２回目のキー入力があり(ステップＳ５)、これが確定待ちのキー入力と同じ、すなわち同じキーからのキー入力であれば該キー入力が確定し、該キー入力を有効とする(ステップＳ６)。なお第１の所定時間は、同一キーの連続２度押しと判断可能な範囲の時間に設定される。
【００１７】
確定後、第２の所定時間内(ステップＳ１０)にカード入力があれば(ステップＳ７)、上記と同様にメモリ１５を検索して個人識別を行い(ステップＳ８)、一致すればキー入力とカード入力に従って入力処理を行い(ステップＳ９)、また第２の所定時間内にカード入力がなければ(ステップＳ７，Ｓ１０)、キー入力に従って入力処理を行い(ステップＳ１１)、それぞれに基づく制御指令信号ＣＣＳを扉制御盤２に送る。なお第２の所定時間は、キー入力に関連する、例えば個人識別(認証)のためのカード入力等と判断可能な範囲の時間に設定される。
【００１８】
なお、ステップＳ２の表示において、仮に利用者が表示に気がつく前に第１の所定時間が経過してしまったとしても、利用者はリトライすることができる。また図示は省略するが、ステップＳ６で、ステップＳ５で入力された２回目のキー入力が確定待ちの１回目のキー入力と一致しない場合には、ステップＳ５で入力されたキー入力を新たに１回目のキー入力とし、新たに第１の所定時間内において該キー入力の確定待ちとするようにしてもよい。
【００１９】
以上のような構成にするこれにより、意図して行われた可能性の高いキー入力だけを有効とすることで、カード入力操作時にキーに誤って接触してしまった場合等の誤操作による動作を防止できる。
【００２０】
実施の形態２．
図６はこの実施の形態によるカードリーダ付キー入力装置の動作の一例を部分的に示すフローチャートである。ステップＳ３のイエス(Ｙ)以降は図５のステップＳ１２以降、ステップＳ２０のイエス(Ｙ)以降は図５のステップＳ７以降とそれぞれ同じなので図示を省略した。上記実施の形態のものと同一もしくは相当部分は同一符号で示す。またカードリーダ付キー入力装置の構成は上記実施の形態と基本的に同じである。
【００２１】
この実施の形態では、同一キーの所定の複数回連続押しで、キー入力を有効にする。そこで、ステップＳ１〜Ｓ６までで、上記実施の形態と同様にして、同一キーの連続キー入力を検出し(但しステップＳ２では”所定複数回の連続押し”を表示させる)、同一キーの連続キー入力が例えば第３の所定時間内で所定の複数回に達した時に該キー入力を有効にする(ステップＳ２０)。なお第３の所定時間は、同一キーの所定の複数回連続押しと判断可能な範囲の時間に設定される。
【００２２】
また図示は省略するが、ステップＳ６で、キー入力が一致しない場合には、ステップＳ５で入力されたキー入力を新たに確定待ちのキー入力とし、新たに第３の所定時間内において該キー入力の確定待ちとするようにしてもよい。
【００２３】
これにより、意図して行われた可能性の高いキー入力だけを有効とすることで、カード入力操作時にキーに誤って接触してしまった場合等の誤操作による動作を防止できる。
【００２４】
実施の形態３．
図７はこの実施の形態によるカードリーダ付キー入力装置の動作の一例を部分的に示すフローチャートである。ステップＳ３のイエス(Ｙ)以降は図５のステップＳ１２以降、ステップＳ２１のイエス(Ｙ)以降は図５のステップＳ７以降とそれぞれ同じなので図示を省略した。上記実施の形態のものと同一もしくは相当部分は同一符号で示す。またカードリーダ付キー入力装置の構成は上記実施の形態と基本的に同じである。
【００２５】
この実施の形態では、所定時間以上継続するキー入力、いわゆる長押しのキー入力を有効にする。そこで、キー入力部１１からキー入力を受けると(ステップＳ１)、該キー入力が例えば第４の所定時間以上、継続するか否か判定し、継続すると、該キー入力を有効にする(ステップＳ２１，Ｓ２２)。なおステップＳ２では”長押し”を表示させる。なお第４の所定時間は、”長押し”と判断可能な範囲の時間に設定される。
【００２６】
これにより、意図して行われた可能性の高いキー入力だけを有効とすることで、カード入力操作時にキーに誤って接触してしまった場合等の誤操作による動作を防止できる。
【００２７】
実施の形態４．
図８はこの実施の形態によるカードリーダ付キー入力装置の動作の一例を部分的に示すフローチャートである。ステップＳ３のイエス(Ｙ)以降は図５のステップＳ１２以降、ステップＳ２４のイエス(Ｙ)以降は図５のステップＳ７以降とそれぞれ同じなので図示を省略した。上記実施の形態のものと同一もしくは相当部分は同一符号で示す。またカードリーダ付キー入力装置の構成は上記実施の形態と基本的に同じであるが、表示部１３はなくてもよい。
【００２８】
この実施の形態では、所定キーからの所定キー入力後の所定時間内のキー入力を有効にする。そこで、キー入力部１１から予め定められた所定キーの所定キー入力を受けると(ステップＳ２３)、その後の例えば第５の所定時間内(ステップＳ２５)のキー入力を有効にする(ステップＳ２４)。なお、第５の所定時間内の最初のキー入力だけを有効としてもよいし、第５の所定時間内に入力される全てのキー入力を有効としてもよい。また、この実施の形態では、入力操作を利用者に知らせる表示は行わない。
【００２９】
これにより、意図して行われた可能性の高いキー入力だけを有効とすることで、カード入力操作時にキーに誤って接触してしまった場合等の誤操作による動作を防止できる。
【００３０】
実施の形態５．
図９はこの実施の形態によるカードリーダ付キー入力装置の動作の一例を部分的に示すフローチャートである。ステップＳ３３のノー(Ｎ)及びステップＳ３４以降は図５のステップＳ１２以降、ステップＳ３２のノー(Ｎ)以降は図５のステップＳ７以降とそれぞれ同じなので図示を省略した。上記実施の形態のものと同一もしくは相当部分は同一符号で示す。またカードリーダ付キー入力装置の構成は上記実施の形態と基本的に同じであるが、表示部１３はなくてもよい。
【００３１】
この実施の形態では、カード入力時の前後のそれぞれの所定時間の間、キー入力を無効にする。そこで、キー入力部１１からのキー入力があった後、例えば第６の所定時間内にカードリーダ部１２からカード入力があった場合(ステップＳ３０，Ｓ３１)、又は逆に、カードリーダ部１２からカード入力があった後、例えば上記第６の所定時間内にキー入力部１１からのキー入力があった場合(ステップＳ３２，Ｓ３３)は、それぞれキー入力を無効とし(ステップＳ３４)、以降、図５のステップＳ１２以降のカード入力に関する処理を行う。なお第６の所定時間は、キー入力がカード入力時とほぼ同時で、カード入力の際に手もしくはカードがキーに触れたこと等により発生したものと判断可能な範囲の時間に設定される。
【００３２】
また、ステップＳ３３のカード入力後にキー入力がなかった場合も図１５のステップＳ１２以降のカード入力に関する処理を行う。また、ステップＳ３１のキー入力後にカード入力がなかった場合には、図５のステップＳ７以降のその後のカード入力の有無を考慮した処理を行う。
【００３３】
これにより、誤操作によるキー入力の可能性のあるカード入力操作時前後のキー入力を無効にすることで、キーの誤操作による動作を防止できる。
【００３４】
なお、上記各実施の形態の説明では、誤操作の対象をキー入力部の全てのキーとして説明したが、それぞれ特定の機能が割り付けられた各種特定機能キー(ファンクションキー)だけに限定して、又はさらに、上述の警備切替用の特定機能キー等のように、誤操作により重大な問題が生じ得る予め設定された特定機能キーに限定して、これらの特定機能キーによる特定機能キー入力に対して、上述の有効、無効にする制御を行うようにしてもよい。
【図面の簡単な説明】
【００３５】
【図１】この発明によるカードリーダ付キー入力装置を備えた入退室管理システムの構成の一例を示す図である。
【図２】この発明によるカードリーダ付キー入力装置の外観図である。
【図３】この発明によるカードリーダ付キー入力装置の内部構成図である。
【図４】カードリーダ付キー入力装置のカード操作によるカード入力時のキーへの接触等による誤操作を説明するための図である。
【図５】この発明の実施の形態１によるカードリーダ付キー入力装置の動作の一例を示すフローチャートである。
【図６】この発明の実施の形態２によるカードリーダ付キー入力装置の動作の一例を示す部分的なフローチャートである。
【図７】この発明の実施の形態３によるカードリーダ付キー入力装置の動作の一例を示す部分的なフローチャートである。
【図８】この発明の実施の形態４によるカードリーダ付キー入力装置の動作の一例を示す部分的なフローチャートである。
【図９】この発明の実施の形態５によるカードリーダ付キー入力装置の動作の一例を示す部分的なフローチャートである。
【符号の説明】
【００３６】
１  カードリーダ付キー入力装置(入力装置)、２  扉制御盤、３  扉、４  非接触カード、１１  キー入力部、１１ａ  テンキー、１１ｂ  特定機能キー、１２  カードリーダ部、１３  表示部、１４  入力制御処理部(入力制御処理手段)、１５  メモリ、ＣＣＳ  制御指令信号、ＤＣＳ  表示指令信号。
【図１】
2008046898.tif 000003
【図２】
2008046898.tif 000004
【図３】
2008046898.tif 000005
【図４】
2008046898.tif 000006
【図５】
2008046898.tif 000007
【図６】
2008046898.tif 000008
【図７】
2008046898.tif 000009
【図８】
2008046898.tif 000010
【図９】
2008046898.tif 000011